(57)【特許請求の範囲】
【請求項１】
液保持性の吸収体を有する縦長の本体、及び該本体を着用者の下着に固定する固定部を備え、該本体の長手方向に沿う左右両側部に一対の立体ギャザーが設けられており、該下着の内面上に配されて使用される生理用ナプキンであって、
前記本体は、着用時に着用者の排泄部位に対向配置される排泄部対向部と、該排泄部対向部より背側に配される後方部と、該排泄部対向部より腹側に配される前方部とを、長手方向に有しており、
前記本体の長手方向に沿う左右両側に、前記吸収体の前記排泄部対向部における左右両側縁それぞれから幅方向外方に延出する一対のウイング部と、該吸収体の前記後方部における左右両側縁それぞれから幅方向外方に延出する一対の後部フラップと、該吸収体の前記前方部における左右両側縁それぞれから幅方向外方に延出する一対の前部フラップとが形成されており、該ウイング部の非肌当接面側に、前記固定部として、前記下着の外面に固定されて使用されるウイング部固定部が配されており、
前記立体ギャザーは、前記本体の肌当接面側に該本体の長手方向に沿って起立する基壁部と、該基壁部の上端部に連接され、着用時に着用者の肌に当接する面状の弾性伸縮部とを含んで構成されており、
前記立体ギャザーの長手方向前後両端部に、前記弾性伸縮部が前記本体に接合されている接合領域を有し、これら前後両端部に挟まれた該立体ギャザーの長手方向内方部に、該弾性伸縮部が該本体に接合されていない非接合領域を有し、
前記ウイング部、前記後部フラップ及び前記前部フラップそれぞれは、前記非接合領域における前記弾性伸縮部の長手方向に沿う外側縁よりも前記本体の幅方向外方に延出しており、
前記接合領域と前記非接合領域との境界よりも前記本体の長手方向外方で且つ該非接合領域における前記弾性伸縮部の長手方向に沿う内側縁よりも該本体の幅方向外方に位置する、該本体の４つの隅部それぞれの非肌当接面側に、前記固定部として、前記下着の内面に固定されて使用される隅部固定部が配されており、該隅部固定部は、前記後部フラップ及び前記前部フラップに存しており、
前記隅部固定部の少なくとも一部は、前記非接合領域に位置する前記弾性伸縮部の長手方向に沿う外側縁から前記本体の幅方向外方への延出部位に存している生理用ナプキン。
【請求項２】
前記本体の幅方向中央部の非肌当接面側に、前記固定部として、該本体の長手方向に延びる中央部固定部が配されており、前記隅部固定部が、該中央部固定部の幅方向外方に位置している請求項１記載の生理用ナプキン。
【請求項３】
前記本体の長手方向前後両端部の非肌当接面側に、前記固定部として、該本体の幅方向に延びる一対の長手方向端部固定部が配されており、該長手方向端部固定部の本体幅方向両端部が、前記隅部固定部である請求項１又は２記載の生理用ナプキン。
【請求項４】
前記中央部固定部と前記長手方向端部固定部とが繋がっている請求項３記載の生理用ナプキン。
【発明の詳細な説明】
【技術分野】
【０００１】
本発明は、生理用ナプキン等の吸収性物品に関し、詳しくは、立体ギャザーを有する吸収性物品に関する。
【背景技術】
【０００２】
従来、生理用ナプキンやおむつ等の吸収性物品には、一対の立体ギャザーを設けたものがある。この種の吸収性物品は、本体（吸収体を含む吸収性物品の主要構成部分）の長手方向両側部からの横漏れを防止するために、一対の立体ギャザーが、本体の肌当接面側の長手方向両側部に設けられている。これにより、吸収性物品の肌当接面側における長手方向両側部に液の拡散を抑制する領域が形成され、場合によっては立体的な壁が形成され、液が横方向へ移動することが防止されている。
【０００３】
また、生理用ナプキンをはじめとする、下着の内面上に配置して使用する吸収性物品には、ズレ止めを図るために、本体を下着に固定する固定部が設けられている。このような固定部を有する吸収性物品として、例えば特許文献１には、本体と、該本体の長手方向左右両側部に配された一対の立体ギャザーとを有し、該立体ギャザーの長手方向後端寄りで且つ該立体ギャザーの長手方向に沿う内側縁よりも該本体の幅方向外方に位置する、該本体の２つの隅部（第２ウイング状フラップにおける長手方向後端寄りの領域）それぞれの非肌当接面側に、前記固定部としての粘着剤層が設けられている生理用ナプキンが記載されている（特許文献１の図面の〔図１１〕の記載等参照）。
【０００４】
【特許文献１】特開２００１−２７６１２３号公報
【発明の開示】
【発明が解決しようとする課題】
【０００５】
特許文献１に記載の如き立体ギャザーを有する吸収性物品においては、着用者の身体の動きにより、身体側に向けて起立すべき立体ギャザーが吸収性物品の内方側に倒れたり、適切な位置からずれたり、よれたりすることがあり、この結果、立体ギャザーの機能が充分に発現されず、横漏れが発生するという問題があった。立体ギャザーの身体に対する追従性を高め、倒れ込み等の立体ギャザーに関する不都合の発生を効果的に防止し得る技術は、未だ提供されていない。
【０００６】
従って、本発明の目的は、立体ギャザーを有する吸収性物品において、立体ギャザーの身体に対する追従性に優れ、立体ギャザーの倒れ込みやズレ、ヨレを生じ難く、横漏れ防止性が高い吸収性物品を提供することにある。
【課題を解決するための手段】
【０００７】
本発明者らは、本体に設けられた立体ギャザーの身体に対する追従性を高め、立体ギャザーの倒れ込み等を防止すべく種々検討した結果、本体を着用者の下着に固定する固定部の配置箇所と立体ギャザーの追従性との間に、密接な関係があることを知見した。
【０００８】
本発明は、前記知見に基づきなされたもので、液保持性の吸収体を有する縦長の本体、及び該本体を着用者の下着に固定する固定部を備え、該本体の長手方向に沿う左右両側部に一対の立体ギャザーが設けられており、該下着の内面上に配されて使用される吸収性物品であって、前記立体ギャザーは、前記本体の肌当接面側に該本体の長手方向に沿って起立する基壁部と、該基壁部の上端部に連接され、着用時に着用者の肌に当接する面状の弾性伸縮部とを含んで構成されており、前記立体ギャザーの長手方向前後両端部に、前記弾性伸縮部が前記本体に接合されている接合領域を有し、これら前後両端部に挟まれた該立体ギャザーの長手方向内方部に、該弾性伸縮部が該本体に接合されていない非接合領域を有し、前記接合領域と前記非接合領域との境界よりも前記本体の長手方向外方で且つ該非接合領域における前記弾性伸縮部の長手方向に沿う内側縁よりも該本体の幅方向外方に位置する、該本体の４つの隅部それぞれの非肌当接面側に、前記固定部として、前記下着の内面に固定されて使用される隅部固定部が配されている吸収性物品を提供することにより、前記目的を達成したものである。
【発明の効果】
【０００９】
本発明の吸収性物品は、就寝時や運動時のように着用者の身体の動きが激しい場合でも、立体ギャザーが身体に追従し、立体ギャザーの倒れ込みやズレ、ヨレが抑制され、横漏れを生じ難い。
【発明を実施するための最良の形態】
【００１０】
以下、本発明の吸収性物品を、その好ましい実施形態に基づき図面を参照して説明する。図１〜図３には、本発明の吸収性物品の第１実施形態としての生理用ナプキンが示されている。
【００１１】
第１実施形態のナプキン１は、着用時に着用者の肌に当接する表面層としての液透過性の表面シート２、防漏層としての液不透過性又は撥水性の裏面シート３、及びこれら両シート２，３間に介在された吸収層としての液保持性の吸収体４を有する縦長の本体５を備え、実質的に縦長の形状を有している。ナプキン１は、下着（図示せず）の内面上に配されて使用される。
【００１２】
本体５は、着用時に着用者の排泄部位に対向配置される排泄部対向部Ａと、該排泄部対向部Ａよりも着用者の背側（後方）に配される後方部Ｂと、該排泄部対向部Ａよりも着用者の腹側（前方）に配される前方部Ｃとを、長手方向に有している。後方部Ｂは、本体５の長手方向後端５Ｂを有しており、前方部Ｃは、本体５の長手方向前端５Ｃを有している。第１実施形態における排泄部対向部Ａと後方部Ｂとの境界は、本体５の長手方向の略中央部に存する。前方部Ｃと排泄部対向部Ａとの境界は、本体５の長手方向前端５Ｃから本体５の長手方向の全長の略２０％に相当する距離離間した位置に存する。
【００１３】
本体５は、その長手方向に沿う左右両側に、吸収体４の長手方向に沿う左右両側縁から該吸収体４の幅方向外方に延出した裏面シート３を含んで構成されるフラップ部を有している。フラップ部の肌当接面側は、不織布からなるシート（図示せず）により被覆されている。フラップ部は、後方部Ｂの所定箇所（後方部Ｂにおける本体５の長手方向後端５Ｂ寄りの部位）において、吸収体４の幅方向外方に向かって大きく膨らんでおり、これにより本体５の長手方向に沿う左右両側に、吸収体４の後方部Ｂにおける左右両側縁それぞれから幅方向外方に延出する一対の後部フラップ６，６が形成されている。また、フラップ部は、前方部Ｃにおいて吸収体４の幅方向外方に向かって大きく膨らんでおり、これにより本体５の長手方向に沿う左右両側に、吸収体４の前方部Ｃにおける長手方向に沿う左右両側縁それぞれから幅方向外方に延出する一対の前部フラップ７，７が形成されている。また、フラップ部は、排泄部対向部Ａにおいて吸収体４の幅方向外方に向かって大きく膨らんでおり、これにより本体５の長手方向に沿う左右両側に、吸収体４の排泄部対向部Ａにおける長手方向に沿う左右両側縁それぞれから幅方向外方に延出する一対のウイング部８，８が形成されている。第１実施形態においては、後部フラップ６、前部フラップ７、及びウイング部８それぞれの吸収体４の長手方向に沿う側縁からの延出幅が略同じとなっている。
ナプキン１の着用時においては、後部フラップ６及び前部フラップ７は、何れもその非肌当接面側が下着の内面（肌当接面側）と対向するように配置されて使用され、ウイング部８は、その非肌当接面側が下着の外面（非肌当接面側）と対向するように配置されて使用される。即ち、後部フラップ６及び前部フラップ７は折り曲げられずに使用され、ウイング部８は、下着のクロッチ部の外面側に折り返されて使用される。
【００１４】
表面シート２は、図２及び図３に示すように、吸収体４の上面（肌当接面側）の全域を被覆し、且つ吸収体４の長手方向両側縁を覆って裏面シート３側へ巻き込まれている。裏面シート３は、上述したように、吸収体４の下面（非肌当接面側）を被覆し、更に所定箇所において吸収体４の長手方向両側縁から幅方向外方に延出して、後部フラップ６、前部フラップ７及びウイング部８を形成している。表面シート２及び裏面シート３は、吸収体４の前後端から長手方向に延出し、その延出部分において互いにヒートシール等により接合されてエンドシール部９，９を形成している。表面シート２の肌当接面側には、表面シート２と吸収体４とが一体的に圧密化されて形成された防漏溝２０が形成されている。防漏溝２０は、例えばヒートエンボス加工により形成することができる。
尚、本明細書において、「肌当接面側」は、ナプキン着用時に着用者の肌側に向けられる面であり、「非肌当接面側」は、ナプキン着用時に下着側（着用者の肌側とは反対側）に向けられる面である。また、「長手方向」は、ナプキン又は各種部材の長手方向に沿う方向であり、「幅方向」は、長手方向と直交する方向である。
【００１５】
本体５の長手方向に沿う左右両側部には、該長手方向に沿って一対の立体ギャザー１０，１０が設けられている。各立体ギャザー１０は、図１に示すように、本体５の長手方向の全長に亘って設けられている。
立体ギャザー１０は、図２に示すように、本体５の肌当接面側に該本体５の長手方向に沿って起立する基壁部１１と、該基壁部１１の上端部１１ａに連接され、着用時に着用者の肌に当接する弾性伸縮部１２とを含んで構成されている。弾性伸縮部１２は、上端部１１ａの長手方向の全長に亘って連接されている。弾性伸縮部１２には、本体５の長手方向に沿って側部弾性部材１３が配されて弾性伸縮性が付与されている。立体ギャザー１０（弾性伸縮部１２）の伸縮方向は本体５の長手方向に一致している。側部弾性部材１３は、少なくとも排泄部対向部Ａに配されており、更に前方部Ｃ及び／又は後方部Ｂ側にも延びて配されていることが好ましい。
【００１６】
ナプキン１は、立体ギャザー１０の長手方向前後両端部に、図３に示す如く弾性伸縮部１２が本体５に接合されている接合領域Ｐを有し、これら前後両端部に挟まれた立体ギャザー１０の長手方向内方部に、図２示す如く弾性伸縮部１２が本体５に接合されていない非接合領域Ｑを有している。接合領域Ｐと非接合領域Ｑとの境界は、本体５の長手方向前端５Ｃ又は後端５Ｂから本体５の長手方向の全長の４０〜７０％に相当する距離離間した位置に存することが好ましい。
【００１７】
第１実施形態の立体ギャザー１０は、図１に示すように、前方部Ｃにおける本体５の長手方向前端５Ｃ寄りの領域、及び後方部Ｂにおける本体５の長手方向後端５Ｂ寄りの領域に位置する部位が接合領域Ｐとされ、これら２つの領域に挟まれた、排泄部対向部Ａ及び後方部Ｂを含む部位が非接合領域Ｑとされている。立体ギャザー１０は、接合領域Ｐにおいては、弾性伸縮部１２が本体５に接合されていることで基壁部１１の起立が阻害されているため起立しておらず、非接合領域Ｑにおいては、側部弾性部材１３による収縮力によって起立している。また、弾性伸縮部１２の収縮によって、本体５は、その長手方向の全体形状が、肌当接面側（表面シート２側）に凹状に湾曲している。
【００１８】
上述した後部フラップ６、前部フラップ７、及びウイング部８それぞれは、これらの機能を充分に発揮させる観点から、図１に示すように、非接合領域Ｑにおける弾性伸縮部１２の長手方向に沿う外側縁１２ａよりも本体５の幅方向外方に延出していることが好ましい。
後部フラップ６の外側縁１２ａからの延出幅は、好ましくは１０〜５０ｍｍである。前部フラップ７の外側縁１２ａからの延出幅は、好ましくは１０〜５０ｍｍである。ウイング部８の外側縁１２ａからの延出幅は、好ましくは１０〜５０ｍｍである。
第１実施形態においては、後部フラップ６の前記外側縁１２ａからの延出幅と、前部フラップ７の前記外側縁１２ａからの延出幅とが、略同一（両者の前記外側縁１２ａからの最大延出幅の差が２０ｍｍ以内）であることが好ましい。
【００１９】
立体ギャザー１０について更に説明すると、立体ギャザー１０は、立体ギャザー形成用シート１４を主体として構成されている。立体ギャザー形成用シート１４は、長手方向に亘って一定の幅を有するシートで、基壁部１１及びその上端部１１ａに弾性伸縮部１２が連設された形状を有するように折り返されている。従って、立体ギャザー形成用シート１４を折り返して形成された立体ギャザー１０は、図２に示すように、基壁部１１及び弾性伸縮部１２において２層構造となっている。基壁部１１の下端部１１ｂは、吸収体４の非肌当接面側に巻き込まれている。吸収体４の非肌当接面側に巻き込まれた下端部１１ｂは、吸収体４の非肌当接面側に巻き込まれた表面シート２の非肌当接面側と、裏面シート３の肌当接面側との間に、接着剤等の公知の接合手段により固定されている。
【００２０】
第１実施形態においては、弾性伸縮部１２は、図２に示すように、基壁部１１の上端部１１ａから水平方向に張り出しており、これにより、面状（ナプキン１の平面視において面状）に形成されている。即ち、弾性伸縮部１２は、基壁部１１の上端部１１ａから本体５の幅方向内方に略水平に張り出す内方弾性伸縮部１２Ａと、基壁部１１の上端部１１ａから本体５の幅方向外方に略水平に張り出す外方弾性伸縮部１２Ｂとから構成されており、少なくとも排泄部対向部Ａにおいて着用者の肌に面状に当接するようになっている。内方弾性伸縮部１２Ａ及び外方弾性伸縮部１２Ｂそれぞれには、側部弾性部材１３が１本以上配されて弾性伸縮性が付与されている。側部弾性部材１３は、それぞれ内方弾性伸縮部１２Ａ及び外方弾性伸縮部１２Ｂを構成する２層の立体ギャザー形成用シート１４，１４の間に伸長状態で配されており、接着剤等の公知の手段によってこれら２層の立体ギャザー形成用シート１４，１４と接合されている。
このように、第１実施形態においては、内方弾性伸縮部１２Ａ及び外方弾性伸縮部１２Ｂは、両者が一体となって平面状に形成され、弾性伸縮部１２と基壁部１１とは、図２に示す如き立体ギャザー１０の幅方向（本体５の幅方向）の断面視において、Ｔ字状を形成している。
【００２１】
第１実施形態においては、内方弾性伸縮部１２Ａ及び外方弾性伸縮部１２Ｂの張り出し幅は異なっている。内方弾性伸縮部１２Ａの張り出し幅と外方弾性伸縮部１２Ｂの張り出し幅との比（前者：後者）は、好ましくは１：５〜５：１であり、特に、弾性伸縮部１２の本体５の内方への張り出しによる液吸収面の面積縮小を防止し、該液吸収面を幅方向に広くできる点から、更に好ましくは１：１〜１：４である。
また、内方弾性伸縮部１２Ａの長手方向に沿った自由端から外方弾性伸縮部１２Ｂの長手方向に沿った自由端までの長さ、即ち、面状の弾性伸縮部１２の幅は、フィット性及び立体ギャザー１０を汚しにくくする点から、１０〜５０ｍｍが好ましい。
【００２２】
接合領域Ｐにおいては、図３に示すように、弾性伸縮部１２の少なくとも幅方向内側（内方弾性伸縮部１２Ａ）が、折り重ねられた基壁部１１を介して、本体５を構成する表面シート２及びエンドシール部９に固定されることで形成されている。
前方接合領域Ｐの長手方向の長さ（弾性伸縮部１２の長手方向に沿った長さ）Ｌ１は、弾性伸縮部１２の長手方向の全長に対して、好ましくは１０〜６０％、更に好ましくは１０〜４０％である。
後方接合領域Ｐの長手方向の長さ（弾性伸縮部１２の長手方向に沿った長さ）Ｌ１は、弾性伸縮部１２の長手方向の全長に対して、好ましくは２０〜８０％、更に好ましくは３０〜７０％である。
【００２３】
第１実施形態のナプキン１は、本体５を着用者の下着に固定する固定部を備え、該固定部を介して下着の内面上に配されて使用される。この固定部としては、この種の生理用ナプキンにおいて、下着との固定手段に用いられているものを特に制限無く用いることができ、例えば、ホットメルト粘着剤、メカニカルファスナーのオス材等が挙げられる。第１実施形態においては、固定部として、ホットメルト粘着剤を塗布してなる粘着剤層を用いている。固定部の保護等を目的として、該固定部に、樹脂製フィルム、不織布、紙等からなる剥離シートが固着されていても良い。
【００２４】
本体５の４つの隅部５ＣＬ、５ＣＲ、５ＢＬ、５ＢＲそれぞれの非肌当接面側には、前記固定部として、下着の内面に固定されて使用される隅部固定部３０が配されている。ここで、本体５の隅部とは、弾性伸縮部１２の接合領域Ｐと非接合領域Ｑとの境界よりも本体５の長手方向外方で且つ非接合領域Ｑにおける弾性伸縮部１２の長手方向に沿う内側縁１２ｂよりも本体５の幅方向外方に位置する領域である。尚、本体５における「接合領域Ｐと非接合領域Ｑとの境界」の位置は上述した通りであり、また、「非接合領域Ｑにおける弾性伸縮部１２の長手方向に沿う内側縁１２ｂ」は、本体５の幅方向を二分する仮想線（図示せず）から本体５の幅方向の長さ（最大幅）の２０〜５０％に相当する距離離間した位置に存することが好ましい。
上述したように、本体５には一対の立体ギャザー１０，１０、即ち、一対の弾性伸縮部１２，１２が設けられており、且つ一の弾性伸縮部１２につき、接合領域Ｐと非接合領域Ｑとの境界が２つ存在するので、上述の如く定義される本体５の隅部は、該本体５に４箇所存在することになる。隅部５ＣＬは、本体５の長手方向前端５Ｃ側の左隅部であり、隅部５ＣＲは、本体５の長手方向前端５Ｃ側の右隅部であり、隅部５ＢＬは、本体５の長手方向後端５Ｂ側の左隅部であり、隅部５ＢＲは、本体５の長手方向後端５Ｂ側の右隅部である。
このように、立体ギャザー１０の形態に関連付けて定められる本体５の４つの隅部５ＣＬ、５ＣＲ、５ＢＬ、５ＢＲそれぞれに、隅部固定部３０が配されていることにより、立体ギャザー１０の身体に対する追従性が高まり、立体ギャザー１０の倒れ込みやズレ、ヨレを効果的に防止することができ、また万一、身体の過度な動きによって立体ギャザー１０の倒れ込みやズレ、ヨレ等が生じても、立体ギャザー１０を適切な状態に復帰させることができる。
【００２５】
各隅部（５ＣＬ又は５ＣＲ又は５ＢＬ又は５ＢＲ）における隅部固定部３０の面積占有率〔＝（隅部固定部の面積／当該隅部の面積）×１００〕は、ギャザー部の倒れ込みにくさの観点から、好ましくは３０〜９５％、更に好ましくは５０〜９０％である。尚、面積占有率の算出において、「隅部固定部の面積」は、当該隅部に複数の隅部固定部がある場合は、それらの面積の合計を意味する。
【００２６】
第１実施形態においては、図１に示すように、後部フラップ６及び前部フラップ７に、隅部固定部３０が存している。詳細には、各隅部固定部３０は、後部フラップ６又は前部フラップ７における、非接合領域Ｑに位置する弾性伸縮部１２の長手方向外側縁１２ａから本体５の幅方向外方への延出部位に存している。また、４つの隅部固定部３０は、本体５の幅方向を二分する仮想線（図示せず）を挟んで左右対称に配されている。
尚、第１実施形態では、一の隅部に一の隅部固定部３０を配しているが、一の隅部に複数の隅部固定部３０を配しても良い。また、隅部固定部３０の形状は、図１に示す如き矩形形状に制限されず、円形状、楕円、半円、あるいは湾曲した短冊形状等でも良い。
【００２７】
第１実施形態のナプキン１について更に説明すると、ナプキン１は、前記固定部として、上述した隅部固定部３０に加えて、ウイング部固定部３５を備えている。ウイング部固定部３５は、図１に示すように、ウイング部８の非肌当接面側に配されており、矩形形状を有している。上述したように隅部固定部３０が下着の内面（肌当接面側）に固定されて使用されるのに対し、ウイング部固定部３５は、ウイング部８が下着のクロッチ部の外面側に折り返されることで、下着の外面（非肌当接面側）に固定されて使用される。
【００２８】
また、吸収体４の幅方向中央部の肌当接面側には、実質的に縦長で、吸収体４より幅狭の補助吸収体４１が配されている。補助吸収体４１は、吸収体４と共に表面シート２と裏面シート３との間に介在されている。補助吸収体４１は、ナプキン着用者の排泄部位と対向するように排泄部対向部Ａ及び後方部Ｂに亘って配されている。補助吸収体４１は、防漏溝２０によって包囲されており、これにより、表面シート２と吸収体４とからなる閉鎖空間に封入されている。
補助吸収体４１が存在することで、その存在領域（ナプキン着用者の排泄部位と対向する領域）が中高構造を有するようになるため、該存在領域における身体形状に対するフィット性及び液吸収性が高まると共に、防漏溝２０の形成に起因する歪が低減され、皴が発生し難くなる。
【００２９】
本実施形態のナプキン１における表面シート２、裏面シート３及び吸収体４としては、生理用ナプキン等の吸収性物品において従来から用いられている各種材料を特に制限なく用いることができる。
表面シート２としては、例えば、親水化処理が施された各種不織布や開孔フィルム等の液透過性のシートを用いることができる。裏面シート３としては、例えば、熱可塑性樹脂のフィルム（ポリエチレンフィルム等）や、該フィルムと不織布とのラミネート等の液不透過性又は撥水性のシートを用いることができ、水蒸気透過性を有するものを用いることもできる。
吸収体４及び補助吸収体４１としては、生理用ナプキン等の吸収性物品における吸収体として従来から用いられている各種材料を特に制限なく用いることができ、例えば、パルプ繊維を堆積させて得られた積繊層、パルプ繊維を原料とする不織布からなるものを用いることができる。吸収体４は吸収性ポリマーを含有していても良い。また、吸収体４は、ティッシュペーパー等の紙や各種不織布等のシート材で被覆されていても良い。
【００３０】
弾性伸縮部１２に配される側部弾性部材１３としては、弾性を有しているものであれば、糸状の弾性部材に制限されず、帯状のものでもよい。
立体ギャザー形成用シート１４としては、生理用ナプキン等の吸収性物品における立体ギャザーを構成する材料として従来から用いられている材料を特に制限なく用いることができ、特に好ましくは疎水性不織布等の撥水性のシートが用いられる。
また、立体ギャザー１０は、第１実施形態においては基壁部１１と弾性伸縮部１２とが一体的に形成されているが、基壁部１１と弾性伸縮部１２とを別々に製造し、それらを接合して形成することもできる。
【００３１】
第１実施形態のナプキン１は、前記固定部（隅部固定部３０、ウイング部固定部３５）を介して、下着の内面上に固定されて使用される。
第１実施形態のナプキン１によれば、本体５の４つの隅部５ＣＬ、５ＣＲ、５ＢＬ、５ＢＲそれぞれの非肌当接面側に、下着の内面に固定されて使用される隅部固定部３０が配されているため、立体ギャザー１０の身体に対する追従性に優れており、就寝時や運動時のように着用者の身体の動きが激しい場合でも、立体ギャザー１０が身体に密着し、立体ギャザー１０の倒れ込みやズレ、ヨレが効果的に抑制され、横漏れを生じ難い。また、第１実施形態のナプキン１によれば、隅部固定部３０の存在により、ナプキン１自体の着用時のズレを生じ難く、良好な着用感が得られる。
【００３２】
以下、本発明の他の実施形態について図４〜図７を参照して説明する。後述する他の実施形態については、上述した第１実施形態のナプキン１と異なる構成部分を主として説明し、同様の構成部分は同一の符号を付して説明を省略する。特に説明しない構成部分は、第１実施形態のナプキン１についての説明が適宜適用される。
【００３３】
図４には、第２実施形態のナプキン１の肌当接面側（表面シート２側）の平面図が示されている。第２実施形態においては、本体５の長手方向前後両端部の非肌当接面側に、前記固定部として、本体５の幅方向に延びる矩形形状の一対の長手方向端部固定部３１，３１が配されており、該長手方向端部固定部３１の本体幅方向両端部（長手方向端部固定部３１の長手方向両端部）が、上述した隅部固定部３０となっている。即ち、第２実施形態においては、上述した４つの隅部固定部３０に加えて更に、本体５の長手方向前端５Ｃ側に位置する２つの左右隅部５ＣＬ、５ＣＲそれぞれに配されている隅部固定部３０，３０の間、及び本体５の長手方向後端５Ｂ側に位置する２つの左右隅部５ＢＬ、５ＢＲそれぞれに配されている隅部固定部３０，３０の間それぞれにも、固定部が配されている。長手方向端部固定部３１は、下着の内面に固定されて使用される。
【００３４】
長手方向端部固定部３１の、本体５の幅方向に沿った長さは、本体５の幅方向の長さ（最大幅の長さ）に対して、好ましくは４０〜９５％、更に好ましくは６０〜９０％である。長手方向端部固定部３１の、本体５の長手方向に沿った長さは、本体５の長手方向の長さに対して、好ましくは３５〜６０％、更に好ましくは４０〜５０％である。第２実施形態によっても、第１実施形態と同様の効果が奏される。
【００３５】
図５には、第３実施形態のナプキン１の肌当接面側（表面シート２側）の平面図が示されている。第３実施形態においては、上述した一対の長手方向端部固定部３１，３１に加えて、本体５の幅方向中央部の非肌当接面側に、前記固定部として、本体５の長手方向に延びる中央部固定部３２が配されており、前記隅部固定部３０が、該中央部固定部３２の幅方向外方に位置している。また、中央部固定部３２と一対の長手方向端部固定部３１，３１とが繋がっており、これにより、本体５の非肌当接面側の平面視において略Ｉ字状の固定部が形成されている。中央部固定部３２は、下着の内面に固定されて使用される。
【００３６】
中央部固定部３２の、本体５の幅方向に沿った長さは、本体５の幅方向の長さ（最大幅の長さ）に対して、好ましくは２０〜６０％、更に好ましくは３０〜４０％である。中央部固定部３２の、本体５の長手方向に沿った長さは、本体５の長手方向の長さに対して、好ましくは４０〜７０％、更に好ましくは５０〜６０％である。中央部固定部３２は、その長手方向中央を本体５の長手方向中央と一致させて配されることが好ましい。
中央部固定部３２は、弾性伸縮部１２の非接合領域Ｑにおいて一対の立体ギャザー１０，１０に挟まれる領域、特に、一対の弾性伸縮部１２，１２の長手方向に沿う内側縁１２ｂ，１２ｂによって挟まれる領域に配されることが好ましい。第３実施形態によっても、第１実施形態と同様の効果が奏される。
【００３７】
図６には、第４実施形態のナプキン１の肌当接面側（表面シート２側）の平面図、図７には、第５実施形態のナプキン１の肌当接面側（表面シート２側）の平面図がそれぞれ示されている。第４及び第５実施形態のナプキン１においては、前部フラップ７の、吸収体４の長手方向に沿う側縁からの延出幅（前記外側縁１２ａからの延出幅）が、後部フラップ６及びウイング部８それぞれの該延出幅よりも小さい。第４及び第５実施形態のナプキン１において、後部フラップ６の前記外側縁１２ａからの最大延出幅と、前部フラップ７の前記外側縁１２ａからの最大延出幅との差は、５〜３０ｍｍであることが好ましい。
【００３８】
第４実施形態においては、図６に示すように、本体５の非肌当接面側に一対の長手方向端部固定部３１，３１及び中央部固定部３２が配されており、これらが繋がって、平面視において略Ｉ字状の固定部を形成している。また第４実施形態においては、隅部固定部３０は、各隅部（５ＣＬ又は５ＣＲ又は５ＢＬ又は５ＢＲ）において吸収体４の長手方向に沿う側縁よりも吸収体４の幅方向内方に位置しており、後部フラップ部６及び前部フラップ７には配されていない。第４実施形態によっても、第１実施形態と同様の効果が奏される。
【００３９】
第５実施形態は、図７に示すように、一対の後部フラップ部６，６それぞれの非肌当接面側に、一の矩形形状の隅部固定部３０が配されている点以外は、図６に示す第４実施形態と同じである。即ち、第５実施形態においては、本体５の長手方向後端５Ｂ側の左隅部５ＢＬ及び右隅部５ＢＲそれぞれの非肌当接面側に、２つの隅部固定部３０，３０が本体５の幅方向に所定間隔を置いて並列に配されており、これら２つの隅部固定部３０，３０のうちの本体５の幅方向内方寄りに位置する隅部固定部３０のみが、長手方向端部固定部３１の長手方向端部となっている。第５実施形態によっても、第１実施形態と同様の効果が奏される。
【００４０】
上述した第２〜第５実施形態のように、本体５の幅方向に延びる長手方向端部固定部３１が配されていると、立体ギャザー１０における接合領域Ｐ（伸縮機能を略喪失している領域）の下着に対するズレの防止に特に有効であるため、立体ギャザー１０の身体との追従性を向上する効果がより顕著となる。
一方、第１実施形態のように、接合領域Ｐよりも本体５の幅方向外方、特に、接合領域Ｐと非接合領域Ｑとの境界よりも本体５の長手方向外方に隅部固定部３０が形成されていると、立体ギャザー１０の倒れこみを防ぐ効果がより顕著となる。
【００４１】
本発明の吸収性物品は、前記実施形態に制限されるものではなく、本発明の趣旨を逸脱しない範囲において種々変形可能である。
例えば、前記実施形態における立体ギャザー１０は、その幅方向（本体５の幅方向）の断面視においてＴ字状を形成していたが、図８に示すように、弾性伸縮部１２が、基壁部１１の上端部１１ａから本体５の幅方向外方に略水平に張り出す外方弾性伸縮部のみから構成されているものでも良い。図８に示す弾性伸縮部１２も、面状に形成されているという点では前記実施形態と同じであり、図８に示す立体ギャザー１０を有するナプキンによっても、前記実施形態と同様の効果が奏される。
また、図８に示す実施形態において、弾性伸縮部１２は、図８とは逆に、ナプキン１の幅方向内方に張り出していても良い。即ち、弾性伸縮部１２は、基壁部１１の上端部１１ａからナプキン１の幅方向内方に略水平に張り出す内方弾性伸縮部のみから構成されていても良い。
【００４２】
また、前記実施形態において、内方弾性伸縮部１２Ａ及び外方弾性伸縮部１２Ｂは、上端部１１ａからそれぞれ水平に張り出していなくても良く、例えば、それぞれの先端が斜め上方に向けて張り出すことにより、弾性伸縮部１２と基壁部１１とが立体ギャザー１０の幅方向の断面視においてＹ字状を形成していても良く、また、内方弾性伸縮部１２Ａ及び外方弾性伸縮部１２Ｂの何れか一方のみが斜め上方に傾斜していても良い。
また、中央部固定部３２と長手方向端部固定部３１とは繋がっていなくても良い。
また、前記実施形態では、本発明の吸収性物品の適用例の一つとして生理用ナプキンを挙げたが、例えばパンティライナー（おりものシート）、失禁パッド、使い捨ておむつ等の吸収性物品にも適用できる。
前述した各構成は、適宜組み合わせることができる。
【図面の簡単な説明】
【００４３】
【図１】図１は、本発明の第１実施形態である生理用ナプキンの肌当接面側（表面シート側）を示す平面図である。
【図２】図２は、図１に示すＩ−Ｉ線断面の模式図である。
【図３】図３は、図１に示すＩＩ−ＩＩ線断面の模式図である。
【図４】図４は、本発明の第２実施形態の図１相当図である。
【図５】図５は、本発明の第３実施形態の図１相当図である。
【図６】図６は、本発明の第４実施形態の図１相当図である。
【図７】図７は、本発明の第５実施形態の図１相当図である。
【図８】図８は、本発明の他の実施形態の図２相当図である。
【符号の説明】
【００４４】
１  生理用ナプキン（吸収性物品）
５  本体
２  表面シート
３  裏面シート
４  吸収体
６  後部フラップ
７  前部フラップ
８  ウイング部
１０  立体ギャザー
１１  基壁部
１１ａ  基壁部の上端部
１２  弾性伸縮部
１２ａ  弾性伸縮部の長手方向に沿う外側縁
１２ｂ  弾性伸縮部の長手方向に沿う内側縁
１３  側部弾性部材
１４  立体ギャザー形成用シート
Ｐ  弾性伸縮部の接合領域
Ｑ  弾性伸縮部の非接合領域
３０  隅部固定部
３１  長手方向端部固定部
３２  中央部固定部
３５  ウイング部固定部３５
５ＣＬ、５ＣＲ、５ＢＬ、５ＢＲ  隅部
Ａ  排泄部対向部
Ｂ  後方部
Ｃ  前方部
【図１】
0005053806.tif 000002
【図２】
0005053806.tif 000003
【図３】
0005053806.tif 000004
【図４】
0005053806.tif 000005
【図５】
0005053806.tif 000006
【図６】
0005053806.tif 000007
【図７】
0005053806.tif 000008
【図８】
0005053806.tif 000009